(57)【要約】【課題】蛍光ランプ管の管軸方向に複数の照明器具を配置しても、複数の照明器具全体の照明光量を均一に保つ。【解決手段】  照明器具１は、ランプ管２を収納保持するカバーケース３を備える。保持するランプ管２の管軸方向両端にそれぞれ対向するカバーケース３の側壁部分３ａが取り外し可能である。さらに、カバーケース３の、ランプ管２の管軸方向端部に対応する部分は、別の照明器具１と連結可能である。【選択図】図１
2010080302.tif 000002
【特許請求の範囲】
【請求項１】
ランプ管を収納保持するカバーケースを備えた照明器具において、
保持する前記ランプ管の管軸方向両端にそれぞれ対向する前記カバーケースの側壁部分が取り外し可能であり、
前記カバーケースの、前記ランプ管の管軸方向端部に対応する部分は、別の前記照明器具と連結可能であることを特徴とする照明器具。
【請求項２】
前記ランプ管が冷陰極蛍光ランプであることを特徴とする請求項１に記載の照明器具。
【請求項３】
請求項１に記載の照明器具を別の該照明器具と連結するための連結部材であって、
前記照明器具の、前記ランプ管の管軸方向端部に対応する端部を覆うように前記カバーケースに取り付けられる光透過性カバーからなる連結部材。
【請求項４】
前記光透過性カバーは透明アクリル板により形成されている請求項３に記載の連結部材。
【請求項５】
ランプ管を収納保持するカバーケースを備えた複数の照明器具を連結してなる照明装置組立体であって、
一の前記照明器具と他の前記照明器具を、前記ランプ管の管軸方向に連結する透明な連結部材を有し、
各前記照明器具の連結部分において、保持する前記ランプ管の管軸方向両端にそれぞれ対向する前記カバーケースの側壁部分が除去されている、照明器具組立体。
【請求項６】
前記ランプ管が冷陰極蛍光ランプである請求項５に記載の照明器具組立体。
【発明の詳細な説明】
【技術分野】
【０００１】
本発明は、ランプ管を収納保持する照明器具と、複数の照明器具どうしを連結した照明器具組立体に関する。
【背景技術】
【０００２】
冷陰極管蛍光ランプ（ＣＣＦＬ）を使用した照明器具は、一般に、蛍光ランプ管をカバーケースの凹部内に収納保持している。また複数本の蛍光ランプ管をカバーケース内に保持する場合は蛍光ランプ管は並列に配置されている。このようなカバーケースの凹部内面は、照明効率を上げるため、白色塗装が施され、光拡散させる反射面として使われている。
【０００３】
従来、このような照明器具によって十分な照明領域と光量を確保したいとき、複数の照明器具を並べて設置することがあった（特許文献１参照）。
【特許文献１】特開２００４−１４９３０３号公報
【発明の開示】
【発明が解決しようとする課題】
【０００４】
上記のように複数の照明器具を設置する際、図３に示すように、２つの照明器具１を、各カバーケース３の、蛍光ランプ管２の管軸方向端部に対向する側壁３ａどうしが近接する形で設置したい場合がある。
【０００５】
しかし、この配置の場合、カバーケースの端部の側壁３ａにより、光拡散が十分にできず、側壁３ａの近接部位周辺（図３中の範囲Ａ）の照明が他に比べて暗くなるという問題があった。
【０００６】
本発明は、上述した背景技術が有する課題を解決できる照明器具および、該複数の照明器具を連結した照明器具組立体を提供することを目的とする。その目的の一例は、蛍光ランプ管の管軸方向に複数の照明器具を配置しても、複数の照明器具全体の照明光量を均一に保つことにある。
【課題を解決するための手段】
【０００７】
本発明の一態様は、ランプ管を収納保持するカバーケースを備えた照明器具である。この照明器具において、保持するランプ管の管軸方向両端にそれぞれ対向するカバーケースの側壁部分が取り外し可能である。そして、前記カバーケースの、ランプ管の管軸方向端部に対応する部分は、別の照明器具と連結可能である。
【０００８】
本発明の他の態様は、上記の照明器具を別の該照明器具と連結するための連結部材である。これは、照明器具の、ランプ管の管軸方向端部に対応する端部を覆うようにカバーケースに取り付けられる光透過性カバーからなる。
【０００９】
さらに本発明の他の態様は、ランプ管を収納保持するカバーケースを備えた複数の照明器具本体を連結してなる照明装置組立体である。この組立体は、一の照明器具と他の照明器具を、ランプ管の管軸方向に連結する透明な連結部材を有する。そして、各照明器具の連結部分において、保持するランプ管の管軸方向両端にそれぞれ対向するカバーケースの側壁部分が除去されている。
【発明の効果】
【００１０】
本発明によれば、蛍光ランプ管の管軸方向に複数の照明器具を配置しても、複数の照明器具全体の照明光量を均一に保つことができる。
【発明を実施するための最良の形態】
【００１１】
以下、本発明の実施の形態について図面を参照して説明する。
【００１２】
図１は本発明の一実施例による照明器具を示す斜視図、図２は本発明による照明器具を複数連結してなる照明器具組立体を示す平面図である。
【００１３】
この図に示されるように本例の照明器具１は、２本の蛍光ランプ管２を並列に収納保持するカバーケース３を備える。カバーケース３は、蓋が無い箱形状からなり、内面には反射効率を良くするために白色塗装が施されている。なお、本例では２本の蛍光ランプ管２を収納するカバーケース３を示したが、本発明はこれに限定されないものである。
【００１４】
カバーケース３は、保持する蛍光ランプ管２の管軸方向両端にそれぞれ対向する側壁部分３ａが取り外し可能な構造を持つ。例えば、側壁部分３ａがカバーケース３とは別個に設けられ、ネジでカバーケース３に固定されていることにより、側壁部分３ａを外したいときに容易に外せるようになっている。
【００１５】
カバーケース３の、蛍光ランプ管２の管軸方向端部に対応する部分は、別の同じ照明器具１と連結可能である。
【００１６】
同一の照明器具１どうしを連結するための連結部材は、一の照明器具１の、蛍光ランプ管２の管軸方向端部に対応する端部を覆うようにカバーケース３に取り付けられる光透過性カバー４からなる。
【００１７】
以上の構成において、同一の照明器具１どうしを端部が近接する形で設置する際は、まず、それぞれの照明器具１のカバーケース３の所定の側壁部分３ａを取り外す。次いで、側壁部分３ａを取り外した状態で２つの照明器具１を端部が近接する形で設置する。このとき、隣り合う２つの照明器具１の端部どうしを光透過性カバー４で覆って連結固定する。カバー４は筒形状の透明アクリル板などで形成されており、近接させる各照明器具１の端部を筒状のカバー４内に嵌め込んでからカバーケース３に対してカバー４をビスで止める。
【００１８】
このように複数の照明器具１を連結してなる照明装置組立体（照明アセンブリ）５は、一の照明器具１と他の照明器具１を、蛍光ランプ管２の管軸方向に連結する透明な連結部材である光透過性カバー４を有する。そして、各照明器具１においては、保持する蛍光ランプ管２の管軸方向両端にそれぞれ対向するカバーケース３の側壁部分３ａが除去されている。
【００１９】
この事により、本発明の照明器具組立体は、連結部分でも光拡散が十分できるため照明器具組立体全体の照明光量が均一になり、そのうえ、側壁部分３ａを外したことによる安全性もカバー４で確保できる。
【００２０】
以上の実施形態では蛍光ランプ管を使用した照明器具で説明したが、本発明は蛍光ランプ管の代わりにＬＥＤランプを使用する照明器具にも応用できる。
【００２１】
以上のように本発明について実施形態を示して説明したが、本願発明は上記の実施形態に限定されるものではなく、その技術思想を逸脱しない範囲で種々変更して実施することが可能であることは言うまでもない。
【図面の簡単な説明】
【００２２】
【図１】本発明の一実施例による照明器具を示す斜視図である。
【図２】本発明による照明器具を複数連結してなる照明器具組立体を示す平面図である。
【図３】関連技術による照明器具を示す平面図である。
【符号の説明】
【００２３】
１    照明器具
２    蛍光ランプ管
３    カバーケース
３ａ    側壁部分
４    光透過性カバー（連結部材）
５    照明装置組立体
【図１】
2010080302.tif 000003
【図２】
2010080302.tif 000004
【図３】
2010080302.tif 000005